(57)【要約】【課題】色順次駆動方式において、画面の明るさを十分に確保する。【解決手段】表示パネルの画素は、書き込まれた電圧に応じた透過率となる。この表示パネルに対して、ＬＥＤが、Ｒ（赤）、Ｇ（緑）、Ｂ（青）の光を順番に照射する。フレーム期間を、Ｒ・Ｇ・Ｂサブフレーム期間に分割する。各サブフレーム期間に設けられる走査期間において、画面の上端側および下端側を走査するときは、縦方向に隣接する２行の走査線を同時に選択して解像度を低下させる。これにより、全走査線を１行ずつ選択する場合と比較して走査期間が短縮されるので、この短縮分を、発光期間に割り当てる。【選択図】図４
2010107582.tif 000002
【特許請求の範囲】
【請求項１】
それぞれが書き込まれた情報に応じた透過率または反射率となる複数の画素と、
前記複数の画素に対して、互いに異なる少なくとも３つの原色の光のうち、いずれか一色の光を照射する照射手段と、
を備え、
単位期間を前記原色に対応させたサブフレーム期間に分割し、
各サブフレーム期間において、前記複数の画素に対し、当該サブフレーム期間に対応する原色成分の情報を書き込んで、当該原色成分の画像を位置に応じて異なる解像度で形成し、
一のサブフレーム期間における書き込みの後、次のサブフレーム期間における書み込みの前に、前記照射手段が当該一のサブフレーム期間に対応する原色の光を前記複数の画素に照射する
ことを特徴とする電気光学装置の駆動方法。
【請求項２】
前記画像の上下の解像度は、中央部の解像度よりも低い
ことを特徴とする請求項１に記載の電気光学装置の駆動方法。
【請求項３】
前記画像の周辺部の解像度は、中央部の解像度よりも低い
ことを特徴とする請求項１に記載の電気光学装置の駆動方法。
【請求項４】
前記複数の画素のうち、互いに隣接する２以上の画素を同時に選択して同一情報を書き込む動作を、予め定められた特定の領域にわたって繰り返すことにより、当該特定の領域を低い解像度とする
ことを特徴とする請求項２または３に記載の電気光学装置の駆動方法。
【請求項５】
同時に選択する画素数が増加するにつれて、当該特定の領域の解像度を低下させる
ことを特徴とする請求項４に記載の電気光学装置の駆動方法。
【請求項６】
前記複数の画素の各々は、
複数行の走査線および複数列のデータ線との交差に対応して配列するとともに、前記走査線が選択されたときに、前記データ線に供給されたデータ信号の電圧が書き込まれるものであり、
奇数行の走査線と当該奇数行の走査線に対し隣接する偶数行の走査線とを組として、所定方向に順番に、同時に選択し、
一の組の奇数行および偶数行の走査線を同時に選択したときに、当該２行の走査線と一のデータ線との交差に対応する２つの画素の情報のうち、いずれか一方に基づいた電圧のデータ信号を、前記一のデータ線に供給する
ことを特徴とする請求項５に記載の電気光学装置の駆動方法。
【請求項７】
表示すべき画像が動画であるか、静止画であるかによって、前記特定の領域の解像度を切り替え可能とする
ことを特徴とする請求項４に記載の電気光学装置の駆動方法。
【請求項８】
表示すべき画像が動画である場合には、静止画である場合よりも、前記特定の領域の解像度を低下させる
ことを特徴とする請求項７に記載の電気光学装置の駆動方法。
【請求項９】
指定手段による指定に応じて、前記特定の領域の解像度を切り替え可能である
ことを特徴とする請求項４に記載の電気光学装置の駆動方法。
【請求項１０】
それぞれが書き込まれた情報に応じた透過率または反射率となる複数の画素と、
前記複数の画素に対して、互いに異なる少なくとも３つの原色の光のうち、いずれか一色の光を照射する照射手段と、
単位期間を前記原色に対応させたサブフレーム期間に分割し、
各サブフレーム期間において、前記複数の画素に対し、当該サブフレーム期間に対応する原色成分の情報を書き込んで、当該原色成分の画像を、位置に応じて異なる解像度で形成する駆動回路と、
前記照射手段に対し、  一のサブフレーム期間における書き込みの後、次のサブフレーム期間における書み込みの前に、前記照射手段が当該一のサブフレーム期間に対応する原色の光を前記複数の画素に照射するように制御する制御手段と、
を具備することを特徴とする電気光学装置。
【発明の詳細な説明】
【技術分野】
【０００１】
本発明は、いわゆる色順次方式の電気光学装置の駆動技術に関する。
【背景技術】
【０００２】
一般に、色順次方式では、１つのカラー画像を形成するフレーム期間を、例えば赤（Ｒ）、緑（Ｇ）、青（Ｂ）の３つの原色に対応するサブフレーム期間に分割するとともに、各サブフレーム期間において、当該サブフレーム期間の原色成分の階調（明るさ）に応じた情報（例えば電圧）を表示パネルの画素に書き込んだ後に、当該原色の光を表示パネルに照射する構成となっている。これにより、Ｒ、Ｇ、Ｂの各原色画像が順次表示されるので、人間には、これらの原色画像が重なってフルカラー画像として視覚される（特許文献１参照）。
このような色順次方式では、表示素子にカラーフィルタを設けなくて済むほか、１画素をＲ・Ｇ・Ｂのサブ画素に分割しなくて済むので、高精細化が容易となる。
【特許文献１】特開平１１−２３７６０６号公報
【発明の開示】
【発明が解決しようとする課題】
【０００３】
ところで、このような色順次方式において、各サブフレーム期間において原色成分の明るさに応じた電圧を表示パネルの全画素に書き込んだ後に、当該原色の光を表示パネルに照射開始する構成では、画面の明るさを十分にとれなくなる可能性がある。
特に、表示パネルの画素への書き込みに長い時間を要するとき、光を照射する期間が確保することができなくなる。なお、光を照射する光源に高輝度タイプを用いれば、照射期間が短くても、画面を明るくすることは可能であるが、装置規模が大きくなるだけでなく、コスト高などを招く。
本発明は上述した事情に鑑みてなされたもので、その目的の一つは、色順次方式において、光の照射期間を長くして、画面の明るさを十分に確保するための技術を提供することにある。
【課題を解決するための手段】
【０００４】
上記課題を解決するために、本発明に係る電気光学装置の駆動方法にあっては、それぞれが書き込まれた情報に応じた透過率または反射率となる複数の画素と、前記複数の画素に対して、互いに異なる少なくとも３つの原色の光のうち、いずれか一色の光を照射する照射手段と、を備え、単位期間を前記原色に対応させたサブフレーム期間に分割し、各サブフレーム期間において、前記複数の画素に対し、当該サブフレーム期間に対応する原色成分の情報を書き込んで、当該原色成分の画像を位置に応じて異なる解像度で形成し、一のサブフレーム期間における書き込みの後、次のサブフレーム期間における書み込みの前に、前記照射手段が当該一のサブフレーム期間に対応する原色の光を前記複数の画素に照射することを特徴とする。本発明によれば、低解像度の画像の書き込みによって画素の走査期間が短縮されるので、発光期間を長く確保することが可能となる。
【０００５】
本願発明において、前記画像の上下の解像度は、中央部の解像度よりも低くても良い。上下領域に視点が向きにくいので、解像度の低下が目立たなくすることができる。本願発明において、前記画像の周辺部の解像度は、中央部の解像度よりも低くても良い。同様に、周辺領域に視点が向きにくいので、解像度の低下が目立たなくすることができる。
本願発明において、前記複数の画素のうち、互いに隣接する２以上の画素を同時に選択して同一情報を書き込む動作を、予め定められた特定の領域にわたって繰り返すことにより、当該特定の領域を低い解像度としても良い。また、本願発明では、同時に選択する画素数が増加するにつれて、当該特定の領域の解像度を低下させても良い。
本願発明において、前記複数の画素の各々は、複数行の走査線および複数列のデータ線との交差に対応して配列するとともに、前記走査線が選択されたときに、前記データ線に供給されたデータ信号の電圧が書き込まれるものであり、奇数行の走査線と当該奇数行の走査線に対し隣接する偶数行の走査線とを組として、所定方向に順番に、同時に選択し、一の組の奇数行および偶数行の走査線を同時に選択したときに、当該２行の走査線と一のデータ線との交差に対応する２つの画素の情報のうち、いずれか一方に基づいた電圧のデータ信号を、前記一のデータ線に供給しても良い。
また、本願発明において、表示すべき画像が動画であるか、静止画であるかによって、前記特定の領域の解像度を切り替え可能としても良い。切り替え可能とする場合には、表示すべき画像が動画である場合には、静止画である場合よりも、前記特定の領域の解像度を低下させることが望ましい。これは、動画を表示させる場合には、解像度の低下が視認されにくいことに基づく。
なお、解像度の切り替えについては、指定手段による指定に応じても良いし、画像解析の結果に応じても良い。また、本発明は、駆動方法のみならず、電気光学装置としても概念することが可能である。
【発明を実施するための最良の形態】
【０００６】
以下、本発明を実施するための形態について説明する。
【０００７】
＜第１実施形態＞
まず、本発明の第１実施形態に係る電気光学装置の駆動方法について説明する。図１は、この駆動方法を適用した電気光学装置の一例たるプロジェクタの光学的な構成を示す図である。
この図において、ＬＥＤ１１Ｒは、ダイクロイックプリズム１３の中心からみて１２時の方向に位置し、図において下方に向けてＲ（赤）の光を放つ発光ダイオードである。ＬＥＤ１１Ｒにより放たれたＲの光は、コリメータレンズ１２Ｒによって、ほぼ平行な光束となる。同様に、ＬＥＤ１１Ｇ、１１Ｂは、それぞれ９時、６時の方向に位置し、図において右方、上方に向けてＧ（緑）、Ｂ（青）の光を放つ発光ダイオードである。ＬＥＤ１１Ｇ、１１Ｂにより放たれたＧ、Ｂの光についても、それぞれコリメータレンズ１２Ｇ、１２Ｂによって、ほぼ平行な光束となる。
なお、ＬＥＤ１１Ｒ、１１Ｇ、１１Ｂは、後述する制御回路によって発光制御されるので、これら３つのＬＥＤが照射手段となる。
【０００８】
ダイクロイックプリズム１３は、互いに直交するダイクロイック面１３Ｒ、１３Ｂを有する。このうち、ダイクロイック面１３Ｒは、１２時の方向から入射したＲの光を反射して３時の方向に出射し、他の色の光を透過する。ダイクロイック面１３Ｂは、６時の方向から入射したＢの光を反射して３時の方向に出射し、他の色の光を透過する。一方、９時の方向から入射したＧ光は、ダイクロイック面１３Ｒ、１３Ｂを透過し、そのまま３時の方向に出射する。
【０００９】
ダイクロイックプリズム１３の出射面には、表示パネル１００が配置する。この表示パネル１００は、例えばアクティブマトリクス型の透過型の液晶表示パネルであり、複数の画素を有する。投射レンズ群１４は、表示パネル１００によって透過率が画素毎に規定された透過像をスクリーン２００に向けて拡大投射する光学系である。
後述するように、フレーム期間をＲ・Ｇ・Ｂサブフレーム期間に分割するとともに、各サブフレーム期間において、各画素にそれぞれＲ・Ｇ・Ｂの原色成分の明るさに応じた透過率となるような電圧を書き込み、この後に、当該原色のＬＥＤを発光させる動作をＲ・Ｇ・Ｂで繰り返す。このため、Ｒ・Ｇ・Ｂの各原色画像が順次表示されて、これらの原色画像が重なってフルカラー画像として視覚されることになる。
【００１０】
次に、プロジェクタ１０の電気的な構成について図２を参照して説明する。
この図に示されるように、プロジェクタ１０は、制御回路２０、画像処理回路３０、データ信号変換回路４０および表示パネル１００により構成される。このうち、制御回路２０は、上位装置（図示省略）から供給される同期信号Ｓyncに基づいて各部を制御する。
画像処理回路３０は、上位装置から供給されるデジタルの映像信号Ｖidを、一旦内部メモリに記憶した後、制御回路２０による制御にしたがって画素の原色成分を読み出して、映像信号Ｖdとして出力する。ここで、上記上位装置から供給される映像信号Ｖidは、表示パネル１００の各画素についてＲ・Ｇ・Ｂの各色成分の明るさ（階調）をそれぞれ指定するデジタルデータであり、同期信号Ｓyncに含まれる垂直走査信号、水平走査信号およびドットクロック信号（いずれも図示省略）にしたがった走査の順で画素毎に供給される。
【００１１】
データ信号変換回路４０は、画像処理回路３０から供給される映像信号Ｖdを、表示パネル１００の駆動に適したアナログのデータ信号Ｖsに変換して、Ｙドライバ１３０およびＸドライバ１４０による駆動タイミングに合わせて表示パネル１００に供給する。
【００１２】
表示パネル１００の表示領域１００ａでは、例えば７６８行の走査線１１２が図において横方向に延在し、また、１０２４列のデータ線１１４が図において縦方向に延在し、かつ、各走査線１１２と互いに電気的に絶縁を保つように設けられるとともに、これらの走査線１１２とデータ線１１４との交差のそれぞれに対応して、画素１１０がそれぞれ配設されている。したがって、本実施形態において、画素１１０は、表示領域１００ａにおいて縦７６８行×横１０２４列のマトリクス状に配列することになる。
なお、便宜的に走査線１１２を区別するために、以下の説明では図において上から順に１、２、３、…、７６８行目という呼び方をする場合がある。同様に、データ線１１４を区別するために、図において左から順に１、２、３、…、１０２４列目という呼び方をする場合がある。
【００１３】
Ｙドライバ１３０は、制御回路２０による制御にしたがって各走査線にそれぞれ走査信号を供給する走査線駆動回路であり、選択した走査線に対し選択電圧を、それ以外の走査線に対し非選択電圧を、それぞれ印加する。なお、１、２、３、…、７６８行目の走査線１１２に供給される走査信号を、図２において、それぞれＧ1、Ｇ2、Ｇ3、…、Ｇ768と表記している。
Ｘドライバ１４０は、選択された行に対応する画素１１０の各々に対し、データ信号変換回路４０によって変換されたデータ信号Ｖsを、後述するサンプリング信号にしたがって、それぞれデータ線１１４にサンプリングするデータ線駆動回路である。なお、Ｘドライバ１４０の詳細な構成については、省略するが、データ線１１４の各々に一端が接続されるとともに、他端がデータ信号Ｖsの供給線に接続されたスイッチを含み、制御回路２０による制御にしたがって後述するサンプリング信号を出力して、これらのサンプリング信号にしたがって、上記スイッチのオン／オフを制御するような構成となっている。
また、１、２、３、…、１０２４列目のデータ線１１４にサンプリングされるデータ信号を、図２において、それぞれｄ1、ｄ2、ｄ3、…、ｄ1024と表記している。
【００１４】
画素１１０について図３を参照して説明する。
この図に示されるように、画素１１０においては、ｎチャネル型のＴＦＴ１１６のソース電極がデータ線１１４に接続されるとともに、ドレイン電極が画素電極１１８に接続される一方、ゲート電極が走査線１１２に接続されている。
画素電極１１８は、画素毎に設けられるのに対して、対向電極１０８は、画素電極１１８のすべてに対向するように全画素に対して共通に設けられるとともに、一定の電圧ＬＣcomが印加されている。そして、対向電極１０８と画素電極１１８との間に液晶１０５が挟持され、これにより液晶素子１２０が構成されている。このため、画素毎に、画素電極１１８、対向電極１０８および液晶１０５からなる液晶素子１２０が設けられることになる。
【００１５】
このような構成の液晶素子１２０は、画素電極１１８および対向電極１０８の間で電圧を保持するとともに、透過型であれば、保持した電圧の実効値に応じた透過率となる。これは、液晶素子１２０において、画素電極１１８および対向電極１０８の間で電圧に怖じて、両電極の間に介在する液晶１０５の分子配向状態が変化するためである。
走査線１１２に選択電圧を印加させるとともに、選択した走査線１１２に対応する画素に対して、指定された階調値に応じた電圧のデータ信号をデータ線１１４に供給すると、選択走査線における画素１１０のＴＦＴ１１６はオン状態となり、当該データ信号が、オン状態のＴＦＴ１１６を介して画素電極１１８に印加されるので、液晶素子１２０に対し、階調値に応じた電圧を印加・保持させて、目的とする階調に応じた透過率とさせることができる。
なお、走査線に非選択電圧を印加して、ＴＦＴ１１６をオフ状態とさせても、ＴＦＴ１１６がオン状態のときに液晶素子１２０に書き込まれた電圧は、その容量性によりに保持される。
【００１６】
本実施形態では、便宜的に液晶素子１２０に保持される電圧実効値がゼロに近ければ、光の透過率が最大となって白色表示になる一方、電圧実効値が大きくなるにつれて透過する光量が減少するノーマリーホワイトモードであるとする。
また、液晶１０５に直流成分が印加するのを防止するため、データ信号変換回路４０は、画素の明るさを指定する映像信号Ｖdを、画素電極１１８に印加されることになるデータ信号Ｖsに、基準電圧Ｖc（対向電極１０８の電圧ＬＣcomとほぼ同じ電圧、または、低位の電圧）に対して高位側の正極性電圧と低位側の負極性電圧とに、所定期間（例えば後述するサブフレーム期間、または、フレーム期間）毎に交互に切り替えながら変換する。なお、この極性は、制御回路２０によって指定される。
【００１７】
次に、本実施形態に係る色順次駆動について説明する。図４は、本実施形態に係る色順次駆動の概略を示す図である。
この図において、フレーム期間とは、表示パネル１００やＬＥＤ１１Ｒ、１１Ｇ、１１Ｂを駆動することによって、カラー画像の１コマ分を表示させるために要する期間をいい、垂直走査周波数が６０Ｈｚであれば、その逆数である１６．７ミリ秒である。なお、同期信号Ｓyncで規定される垂直走査期間とフレーム期間とは、期間長でみれば同一あるが、同期信号Ｖsyncに同期して供給される映像信号Ｖidを、一旦、画像処理回路３０において記憶した後に読み出すとともに、この読み出しに合わせて、表示パネル１００等を駆動するので、タイミング的には、表示パネル等の駆動を示すフレーム期間は、同期信号Ｓyncで規定される垂直走査期間よりも遅延した関係にある。
【００１８】
図４に示されるように、フレーム期間は、Ｒ・Ｇ・Ｂの３つのサブフレーム期間に等分割される。Ｒ・Ｇ・Ｂサブフレーム期間の各々は、走査期間および発光期間を含む。このうち、走査期間は、走査線を選択して、選択した走査線に対応する画素に対して、データ信号を書き込む期間であり、発光期間は、サブフレーム期間に対応した色のＬＥＤを発光させる期間である。
液晶素子１２０のような電気的光学素子は、透過率に応じた電圧が書き込まれても、すぐには当該電圧に応じた透過率とはならないので、すなわち、電圧が書き込まれてから当該電圧に応じた透過率となるまでタイムラグがあるので、走査期間が終了してから待機期間をおいて、発光期間を開始させている。これにより、書き込まれた電圧に応じた透過率となる前に光が照射されることによって、意図しない画像が視認されてしまうことを防止している。この発光期間は、次のサブフレーム期間の走査期間が開始する前に終了する。
【００１９】
なお、Ｒサブフレーム期間においてＬＥＤ１１Ｒを発光させるＲ発光期間、Ｇサブフレーム期間においてＬＥＤ１１Ｇを発光させるＧ発光期間、および、Ｂサブフレーム期間においてＬＥＤ１１Ｂを発光させるＢ発光期間は、互いに同一期間長となるように設定されている。これは、各原色の照射強度が均等になるようにするため、換言すれば、ホワイトバランスが崩れるのを防止するためである。
また、Ｒサブフレーム期間においてＲ成分を書き込むためのＲ走査期間からＲ発光期間までのＲ待機期間、Ｇサブフレーム期間においてＧ成分を書き込むためのＧ走査期間からＧ発光期間までのＧ待機期間、および、Ｂサブフレーム期間においてＢ成分を書き込むためのＢ走査期間からＢ発光期間までのＢ待機期間についても、互いに同一期間長となるように設定されている。
【００２０】
次に、各サブフレーム期間における走査期間の動作について、Ｒサブフレーム期間で説明する。
まず、制御回路２０は、Ｒ走査期間を次のように制御する。詳細には、制御回路２０は、Ｙドライバ１３０に対し、１〜１９２行目の走査線１１２については、奇数行とこの奇数行に対して１行下の偶数行との２行に同時に選択電圧を印加する動作を上から順番に実行するように制御し、１９３〜５７８行目の走査線１１２については、１行ずつ選択電圧を印加する動作を上から順番に実行するように制御し、５７９〜７６８行目の走査線１１２については、奇数行とこの奇数行に対して１行下の偶数行との２行に同時に選択電圧を印加する動作を上から順番に印加する実行するように制御する。なお、選択電圧を印加する時間は、第１実施形態においてはそれぞれ同一とする。
【００２１】
この制御によって、走査信号Ｇ1、Ｇ2、Ｇ3、…、Ｇ768は、Ｙドライバ１３０によって、図５に示されるように出力される。この図に示されるように、期間（ａ）においては、１・２、３・４、…、１９１・１９２行目の走査線が２行同時に選択され、すなわち、選択電圧が印加され、期間（ｂ）においては、１９３、１９４、…、５７５、５７６行目の走査線が１行ずつ選択され、期間（ｃ）においては、５７７・５７８、５７９・５８０、…、７６７・７６８行目の走査線が２行同時に選択される。
【００２２】
一方、制御回路２０は、画像処理回路３０に対し、期間（ａ）において、奇数行とこの奇数目に対して１行下の偶数行とが同時に選択されるときに、内部メモリに記憶された映像信号のうち、選択される２行のうち、一方の行、例えば奇数行目に位置する画素に指定されたＲ成分の階調を、１、２、３、…、１０２４列の順番で読み出すように制御する。
次に、制御回路２０は、画像処理回路３０に対し、期間（ｂ）において、１行の走査線が選択されるとき、内部メモリに記憶された映像信号のうち、選択走査線に位置する画素に指定されたＲ成分の階調を、１、２、３、…、１０２４列の順番で読み出すように制御する。
そして、制御回路２０は、画像処理回路３０に対し、期間（ｃ）において、期間（ａ）と同様に、奇数行とこの奇数目に対して１行下の偶数行とが同時に選択されるときに、内部メモリに記憶された映像信号のうち、例えば奇数行目に位置する画素に指定されたＲ成分の階調を、１、２、３、…、１０２４列の順番で読み出すように制御する。
【００２３】
なお、制御回路２０は、Ｒ走査期間の期間（ａ）、期間（ｂ）および期間（ｃ）を通してデータ信号変換回路４０に対して変換極性を指定する。また、制御回路２０は、Ｒ走査期間において、Ｘドライバ１４０に対して、データ信号Ｖsを、１、２、３、…、１０２４列目のデータ線１１４に順番にサンプリングするように制御する。このサンプリング制御とは、走査線が選択される期間にわたって、図６に示されるように、サンプリング信号ｓ1、ｓ2、ｓ3、…、ｓ1024が、順番かつ排他的に、選択された行であって１、２、３、…、１０２４列目の映像信号Ｖdが画像処理回路３０から読み出されるのに合わせて、出力される制御である。
【００２４】
この制御によりＲ走査期間の期間（ａ）では、表示パネル１００の１〜１９２行目において、同列でみたときに、奇数行と当該奇数行に下方に隣接する偶数行との２画素に対して、奇数行の画素に対応したデータ信号が同時に書き込まれる。このため、１〜１９２行目の画素１１０には、縦方向の解像度が半分に低下した状態でＲ成分の階調に応じた電圧が書き込まれたことになる。続く期間（ｂ）では、表示パネル１００の１９３〜５７６行目において１行ずつデータ信号が書き込まれるので、１９３〜５７６行目の画素１１０には、縦方向の解像度を戻した状態でＲ成分の階調に応じた電圧が書き込まれたことになる。そして、Ｒ走査期間の期間（ｃ）では、表示パネル１００の５７７〜７６８目において、同列でみたときに、期間（ａ）と同様に、奇数行と当該奇数行に下方に隣接する偶数行との２画素に対して、奇数行の画素に対応したデータ信号が同時に書き込まれるので、５７７〜７６８目の画素１１０には、縦方向の解像度が半分に低下した状態でＲ成分の階調に応じた電圧が書き込まれたことになる。
なお、Ｇ・Ｂサブフレーム期間においても、Ｒサブフレーム期間と同様な動作である。
このため、Ｒサブフレーム期間ではＲ成分の画像が、Ｇサブフレーム期間ではＲ成分の画像が、Ｂサブフレーム期間ではＲ成分の画像が、それぞれ順番に表示されるので、人間には、これらの原色画像が重なってフルカラー画像として視覚されることになる。
【００２５】
結局、表示パネル１００の表示領域１００ａでは、図７に示されるように、上端側の１〜１９２行目および下端側の５７７〜７６８行目において表示される画像の縦方向の解像度が、中心の１９３〜５７６行目にて表示される画像と比較して半分になる。
なお、上端側および下端側で表示される画像の縦方向の解像度は半分になるものの、視点が向きにくいなどの理由から、視聴上の問題は少ないと考えられる。
【００２６】
従来の駆動方法では、１〜７６８行の走査線を１行ずつ選択するので、走査期間が長くなり、図１４に示されるように、Ｒ・Ｇ・Ｂサブフレーム期間において、Ｒ・Ｇ・Ｂ発光期間を長くとれず、画面を十分に明るくすることができない。
これに対して、本実施形態では、１〜１９２行目および５７７〜７６８行目については走査線１１２を２行ずつ選択しているため、その分だけ走査期間が短くなる。このため、図４に示されるように、Ｒ・Ｇ・Ｂサブフレーム期間において、Ｒ・Ｇ・Ｂ発光期間を長く確保することができるので、画面を十分に明るくすることが可能となるのである。
なお、図４において、Ｒ・Ｇ・Ｂのそれぞれにおける走査期間で右下がりの折れ線は、走査線の選択行が時間経過とともに上から下方向に進行していることを示している。期間（ａ）および期間（ｃ）では、期間（ｂ）よりも走査線の選択が速く進行することから、その傾きも大きくなっている。なお、走査線の選択期間は、実際には短い直線であるが、図４の時間軸に比べて十分に短いので、これを連続的な斜め直線としている。
【００２７】
なお、第１実施形態において、１〜１９２行目および５７７〜７６８行目の走査線を２行同時に選択したとき、奇数行の画素に対応する色成分の階調を読み出したが、偶数行の画素を読み出しても良い。また、フレーム期間毎に奇数行・偶数行を交互に切り替えて読み出して良い。
また、第１実施形態において、１〜１９２行目および５７７〜７６８行目の走査線を２行同時に選択したが３行以上同時に選択しても良い。さらに、上端側または下端側に向かうにつれて、段階的に縦方向の解像度を低下させても良い。
くわえて、縦方向の解像度を低下させる領域については、上端または下端以外の領域であっても良い。
【００２８】
＜第２実施形態＞
次に、本発明の第２実施形態に係る色順次駆動について説明する。図８は、第２実施形態に係る色順次駆動の垂直走査期間における走査信号を示す波形である。
この図に示されるように、第２実施形態に係る色順次駆動は、Ｒ・Ｇ・Ｂ走査期間における期間（ａ）および期間（ｃ）と共通であるが、期間（ｂ）においては、１９３〜５７６行目の走査線が選択される期間が第１実施形態と比較して短くなっている。
この第２実施形態において、Ｒ・Ｇ・Ｂ走査期間における期間（ｂ）が短くなっている理由は、制御回路２０は、Ｘドライバ１４０に対して、走査信号Ｇj（ｊは１９３〜５７６のいずれかの整数）が選択電圧となる期間にわたって、サンプリング信号ｓ1、ｓ2、ｓ3、…、ｓ1024を図９に示されるように出力するように制御するためである。
図９に示されるように、期間（ｄ）においては、１・２、３・４、…、２５５・２５６列目のデータ線に対応するサンプリング制御信号が同時に２列ずつＨレベルとなり、期間（ｅ）においては、２５７、２５８、…、７６７、７６８列目のデータ線に対応するサンプリング制御信号が１ずつＨレベルとなり、期間（ｆ）においては、７６９・７７０、７７１・７７２、…、１０２３・１０２４列目のデータ線に対応するサンプリング制御信号が同時に２列ずつＨレベルとなる。
【００２９】
また、制御回路２０は、画像処理回路３０に対しては、１９３〜５７６行目のいずれかの走査線が選択される期間のうち、期間（ｄ）においては、内部メモリに記憶された映像信号のうち、選択される走査線に位置する画素のうち、例えば奇数列の１、３、５、…、２５５列の画素に対応する色成分の階調を読み出すように制御し、期間（ｅ）においては、内部メモリに記憶された映像信号のうち、選択走査線に位置する画素である２５７、２５８、…、７６７、７６８に対応する色成分の階調を読み出すように制御し、期間（ｆ）においては、選択走査線に位置する画素のうち、例えば奇数列の７６９、７７１、…、１０２３列の画素に対応する色成分の階調を読み出すように制御する。
【００３０】
この制御により、期間（ｄ）において、１・２、３・４、…、２５５・２５６列目のデータ線には、１、３、…、２５５列目の画素に対応する色成分のデータ信号がサンプリングされるので、選択走査線に位置する１〜１０２４列目のうち、１〜２５６列目の画素において横方向に互いに隣接する２画素には、奇数列の方の画素に対応するデータ信号が書き込まれる。
期間（ｅ）において、２５７、２５８、…、７６７、７６８列目のデータ線には、それぞれに対応する列の画素に対応する色成分のデータ信号がサンプリングされて、書き込みが行われる。
期間（ｆ）において、７６９・７７０、７７１・７７２、…、１０２３・１０２４列目のデータ線には、７６９、７７１、…、１０２３列目の画素に対応する色成分のデータ信号がサンプリングされるので、選択走査線に位置する１〜１０２４列目のうち、７６９〜１０２４列目の画素において横方向に互いに隣接する２画素には、期間（ｄ）と同様に、奇数列の方の画素に対応するデータ信号が書き込まれる。
【００３１】
結局、第２実施形態に係る色順次駆動によれば、表示領域１００ａでは、図１０に示されるように、上端側の１〜１９２行目および下端側の５７７〜７６８行目において表示される画像の縦方向の解像度は、縦方向中心側の１９３〜５７６行目であって横方向中心側の２５７〜７６８列目において表示される画像と比較して半分になり、また、１９３〜５７６行目であって、左端側の１〜２５６列目および右端側の７６９〜１０２４列目において表示される画像の横方向の解像度は、横方向中心側の２５７〜７６８列目において表示される画像と比較して半分になる。
【００３２】
第２実施形態では、第１実施形態と比較して、各サブフレーム期間の期間（ｂ）において、左端側および右端側のデータ線に２列ずつ同時にデータ信号をサンプリングしているので、当該期間（ｂ）が短くなる。したがって、第２実施形態では、期間（ｂ）が短くなった分だけ、Ｒ・Ｇ・Ｂ発光期間を、より長く確保することができるので、画面をより明るくすることが可能となるのである。
【００３３】
なお、第２実施形態において、１９３〜５７６行目のいずれかの走査線が選択される期間のうち、期間（ｄ）および期間（ｆ）において、奇数列の画素に対応する色成分の階調を読み出したが、偶数列の画素を読み出しても良い。また、フレーム期間毎に奇数列・偶数列を交互に切り替えて読み出して良い。
また、第２実施形態において、１９３〜５７６行目のいずれかの走査線が選択される期間のうち、左端側および右端側において同じデータ信号を２列のデータ線に同時サンプリングしたが３列以上のデータ線に同時にサンプリングしても良い。さらに、左端側または右端側に向かうにつれて、段階的に横方向の解像度を低下させても良い。
くわえて、横方向の解像度を低下させる領域については、左端側または右端以外の領域であっても良い。
【００３４】
＜まとめ＞
上述した第１または第２実施形態に係る色順次駆動と図１４に示した従来の駆動とについて、表示される画像の評価項目として、画面の明るさ、解像度感をそれぞれ比較した結果を図１１に示す。
この図に示されるように、また上述したように、第１または第２実施形態では、画面の明るさについては従来例より有利であるが、画像の解像度感については従来例よりも不利である。
したがって、解像度感よりも画面の明るさを優先させる場合、例えば動画を表示させる場合には、第１または第２実施形態に係る色順次駆動を適用した方が有利となるし、逆に、画面の明るさよりも解像度を優先させる場合、例えば静止画を表示させる場合には、図２に示した構成でも実現可能な従来例に係る色順次駆動を適用した方が有利である。
このため、適用する色順次駆動を、表示すべき画像が動画であるか静止画であるかによって、第１または第２実施形態に係る色順次駆動を適用するか、従来例に係る色順次駆動を適用するかを、選択する構成とすれば、映像信号Ｖidで規定される画像に応じた適切な表示が可能となる。
【００３５】
例えば、図１２に示されるように、映像信号Ｖidを入力して、表示すべき画像が動画であるか静止画であるかを解析する画像解析回路５０を設けて、制御回路２０が、解析結果に応じて第１、第２実施形態、または、従来例に係る色順次駆動を適用しても良い。
このように画像解析回路５０を設けると、映像信号Ｖidで規定される画像に応じて適切な色順次駆動方式を自動的に採用することが可能となる。
また、図１３に示されるように、ボタンスイッチやセレクタなどの選択操作子６０を設けて、この選択結果に応じて、制御回路２０が、第１、第２実施形態、または、従来例に係る色順次駆動を適用しても良い。このような選択操作子６０を設けると、ユーザの嗜好を反映させた色順次方式を採用することが可能となる。
【００３６】
上述した実施形態では、用いる原色をＲ・Ｇ・Ｂの３色として、フレーム期間をこれらの色に対応して３つのサブフレーム期間に分けたが、原色を４つ以上として、フレーム期間をこれら用いる原色に対応して４つ以上のサブフレーム期間に分けても良い。例えばＲ・Ｇ・Ｂのうち、Ｇを、短波長寄りのＹＧ（黄緑）と、長波長寄りのＥＧ（エメラルドグリーン）に分けて、これらの４色として、フレーム期間をこれらの色に対応して４つのサブフレーム期間に分けても良い。
なお、原色を４つ以上とする場合、ダイクロイックプリズムが２以上必要となる。上述したＲ、ＹＧ、ＥＧ、Ｂを用いる場合であれば、図１においてダイクロイックプリズム１３の９時方向に、別のダイクロックプリズムを配置させて、このうち、２面でＹＧ、ＥＧ光を入射して、ダイクロイックプリズム１３に導く構成とすれば良い。
表示パネル１００の透過像を拡大投射する投射型ではなくて、バックライトの光源を原色毎に切り替える直視型にも適用可能である。また、画素１１０については透過型に限られず、反射型であっても良い。
【図面の簡単な説明】
【００３７】
【図１】第１実施形態に係る駆動方法が適用されるプロジェクタの構成を示す図である。
【図２】同プロジェクタの電気的な構成を示すブロック図である。
【図３】同プロジェクタの表示パネルにおける画素の構成を示す図である。
【図４】同駆動方法を示す図である。
【図５】同駆動方法の垂直走査を示す図である。
【図６】同駆動方法の水平走査を示す図である。
【図７】同駆動方法による表示を示す図である。
【図８】第２実施形態に係る駆動方法の垂直走査を示す図である。
【図９】同駆動方法の水平走査を示す図である。
【図１０】同駆動方法による表示を示す図である。
【図１１】実施形態に係る駆動方法と従来の駆動方法との比較を示す図である。
【図１２】応用・変形例を適用したプロジェクタの構成を示す図である。
【図１３】応用・変形例を適用したプロジェクタの構成を示す図である。
【図１４】従来の駆動方法を示す図である。
【符号の説明】
【００３８】
１０…プロジェクタ、１１Ｒ、１１Ｇ、１１Ｂ…ＬＥＤ、２０…制御回路、３０…画像処理回路、１００…表示パネル、１０５…液晶、１２０…液晶素子、１３０…Ｙドライバ、１４０…Ｘドライバ
【図１】
2010107582.tif 000003
【図２】
2010107582.tif 000004
【図３】
2010107582.tif 000005
【図４】
2010107582.tif 000006
【図５】
2010107582.tif 000007
【図６】
2010107582.tif 000008
【図７】
2010107582.tif 000009
【図８】
2010107582.tif 000010
【図９】
2010107582.tif 000011
【図１０】
2010107582.tif 000012
【図１１】
2010107582.tif 000013
【図１２】
2010107582.tif 000014
【図１３】
2010107582.tif 000015
【図１４】
2010107582.tif 000016